【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
キャップによって開放及び閉鎖される注入口を有した首部と、
該首部から延長される肩部と、
底部と、
ボディ部と、を含むプラスチックマッサージボトルであって、
該ボディ部は、前記肩部と前記底部を相互連結し、前記ボトルの動きに呼応して運動エネルギーを発生することが可能な流体を少なくとも部分的に充填しており、
前記マッサージボトルが身体に対して叩かれまたは加圧されたときに前記ボディ部の弾性変形が可能な程度の小さい厚みであって、平常時に前記ボトルの構造的な形状を保持できる程度の大きい厚みを有しており、
前記ボトルが身体に対して叩かれ又は加圧されたときに、前記身体に接触して、前記身体の多数の区別された隣接地点にマッサージ圧力を加えることが可能な形状及び配列からなる圧力マッサージ手段を含む、
ことを特徴とするプラスチックマッサージボトル。
【請求項２】
前記ボディ部の厚みは、０．１ｍｍから０．６ｍｍであることを特徴とする請求項１に記載のプラスチックマッサージボトル。
【請求項３】
前記ボディ部の厚みは、０．１ｍｍから０．４ｍｍであることを特徴とする請求項１に記載のプラスチックマッサージボトル。
【請求項４】
前記圧力マッサージ手段は、前記ボディ部の外周面から突出して、ボディ部と一体で形成された、多数の間隔のあいた圧力マッサージ突起からなることを特徴とする請求項１又は２に記載のプラスチックマッサージボトル。
【請求項５】
前記圧力マッサージ手段は、内側向かって凹んだ根元部と、外側に向むかって突出した火山状部と、を各々に有した多数の火山の形状の圧力マッサージ突起を含むことを特徴とする請求項１又は２に記載のプラスチックマッサージボトル。
【請求項６】
前記圧力マッサージ手段は、あらかじめ決まったパターンで前記ボディ部に配列された多数の略角錐形状の圧力マッサージ突起を含むことを特徴とする請求項１又は２に記載のプラスチックマッサージボトル。
【請求項７】
前記圧力マッサージ手段は、前記ボディ部の外周面に分離可能に取付けられ、一方の面に形成された多数の間隔のあいた圧力マッサージ突起を有したラップアラウンドシートを含むことを特徴とする請求項１に記載のプラスチックマッサージボトル。
【請求項８】
前記ラップアラウンドシートは、文字、記号、シンボル、及びマークが印刷された広告用のパターンを有することを特徴とする請求項７に記載のプラスチックマッサージボトル。
【請求項９】
前記圧力マッサージ手段は、前記ボディ部の外周面に分離可能に取付けられ、一方の面に一体で形成された多数の間隔のあいた圧力マッサージ突起を有したアタッチメント型シートを含むことを特徴とする請求項１に記載のプラスチックマッサージボトル。
【請求項１０】
前記アタッチメント型シートは、該アタッチメント型シートを使用する際に剥がせるように、接着手段によって一体に接着されて剥離可能な剥離紙を含むことを特徴とする請求項９に記載のプラスチックマッサージボトル。
【請求項１１】
前記アタッチメント型シートは、あらかじめ選択された、文字、記号、シンボル、及びマークが印刷された広告用パターンを有することを特徴とする請求項９又は１０に記載のプラスチックマッサージボトル。
【請求項１２】
前記肩部は、間隔があいて、外側に向かって多数のマッサージ突起を含むことを特徴とする請求項１、７又は９のいずれか一項に記載のプラスチックマッサージボトル。
【請求項１３】
前記間隔のあいたマッサージ突起は、５．０ｍｍから２５．０ｍｍの間隔で、２．０ｍｍから１０．０ｍｍの高さで形成されていることを特徴とする請求項４に記載のプラスチックマッサージボトル。
【請求項１４】
前記間隔のあいたマッサージ突起は、ラベル付着領域を除いた前記ボディ部の全体的に、等間隔で形成されることを特徴とする請求項４に記載のプラスチックマッサージボトル。
【請求項１５】
前記間隔のあいたマッサージ突起は、予め選択された、文字、シンボル、及びマークに配列されていることを特徴とする請求項４に記載のプラスチックマッサージボトル。
【請求項１６】
前記ボディ部は内側方向に曲線のくびれを有し、圧力マッサージ突起は、前記内側方向の曲線のくびれに配置されていることを特徴とする請求項４に記載のプラスチックマッサージボトル。
【請求項１７】
前記圧力マッサージ突起は、半球型、円錐型、及び角錐型からなる系列から選択された形状を有することを特徴とする請求項４に記載のプラスチックマッサージボトル。
【請求項１８】
前記首部と肩部との間に備えられた握り部をさらに含むことを特徴とする請求項１又は２に記載のプラスチックマッサージボトル。
【請求項１９】
前記握り部は、前記ボディ部から外周面に突出して前記ボディと一体で形成された多数の間隔のあいたマッサージ突起を含むことを特徴とする請求項１８に記載のプラスチックマッサージボトル。
【請求項２０】
前記ボトルは、ポリエチレン、ポリエチレンテレフタルレート、及びポリプロピレンからなる系列から選択された物質で形成されていることを特徴とする請求項１、７又は９のいずれか一項に記載のプラスチックマッサージボトル。
【請求項２１】
前記プラスチックボトルは常圧ボトル、耐圧ボトル、耐熱ボトル、及び耐熱圧ボトルからなる系列から選択されることを特徴とする請求項１、７又は９のいずれか一項に記載のプラスチックマッサージボトル。
【請求項２２】
前記ボトルに充填される流体は、飲料を含むことを特徴とする請求項１、７又は９のいずれか一項に記載のプラスチックマッサージボトル。
【請求項２３】
前記ボディ部は、円形、楕円形、または四角形及び四辺形からなる系列から選択される断面形状を有することを特徴とする請求項１、７又は９のいずれか一項に記載のプラスチックマッサージボトル。
【請求項２４】
キャップによって開放及び閉鎖される注入口を有した首部と、
該首部から延長される肩部と、
底部と、
ボディ部と、を含むプラスチックマッサージボトルであって、
該ボディ部は、前記肩部と前記底部を相互連結し、
前記マッサージボトルが身体に対して叩かれまたは加圧されたときに、弾性変形が可能となるように０．１ｍｍから０．６ｍｍの厚みを有し、
前記ボトルが身体に対して叩かれまたは加圧されたときに、前記身体に接触して、前記身体の多数の区別された隣接地点にマッサージ圧力を加えることが可能な形状及び配列からなる圧力マッサージ手段を含む、
ことを特徴とするプラスチックマッサージボトル。
【請求項２５】
キャップによって開放及び閉鎖される注入口を有した首部と、
底部と、
ボディ部と、を含むプラスチックマッサージボトルであって、
該ボディは、前記首部と前記底部を相互連結し、
前記マッサージボトルが身体に対して叩かれまたは加圧されたときに、弾性変形が可能となるように０．１ｍｍから０．６ｍｍの厚みを有し、
前記ボトルが身体に対して叩かれまたは加圧されたときに、前記身体に接触して、前記身体の多数の区別された隣接地点にマッサージ圧力を加えることが可能な形状及び配列からなる圧力マッサージ手段を含む、
ことを特徴とするプラスチックマッサージボトル。
【請求項２６】
前記ボディ部は、前記首部から離れるにつれて徐々に増加する断面領域を有することを特徴とする請求項２４又は２５に記載のプラスチックマッサージボトル。
【請求項２７】
前記ボトルの叩く動作または加圧する動作に呼応して運動エネルギーが生ずるように前記プラスチックボトル内部に少なくとも部分的に充填されたマッサージ用流体をさらに含むことを特徴とする請求項２４又は２５に記載のプラスチックマッサージボトル。